(57)【特許請求の範囲】
【請求項１】
電球ケース本体１、前記電球ケース本体１の頂部に固定される透光マスク２、前記電球ケース本体１の頂部に固定され、複数のＬＥＤダイスが設置されたＬＥＤ回路基板及び検知装置３を備える遮光構造を具備するＬＥＤ電球であって、
前記透光マスク２には貫通孔が開設され、
前記ＬＥＤ電球は、遮光筒４及び集光レンズ５を更に含み、
前記遮光筒４の下端は前記電球ケース本体１に固定され、前記遮光筒４の上端は前記集光レンズ５を係合させて、上に向け前記透光マスク２の前記貫通孔に挿入され、
前記検知装置３は前記遮光筒４に内設され、前記ＬＥＤダイスが設置された前記ＬＥＤ回路基板に比べて前記集光レンズ５に近い位置に配置されることを特徴とする遮光構造を具備するＬＥＤ電球。
【請求項２】
前記遮光筒４は円筒形状であることを特徴とする、請求項１に記載の遮光構造を具備するＬＥＤ電球。
【請求項３】
前記遮光筒４の上端の辺縁と前記透光マスク２の前記貫通孔の上端の辺縁とは水平になるか、或いは前記遮光筒４の上端の辺縁は上に向け前記透光マスク２の前記貫通孔の上端の辺縁を超過させることを特徴とする、請求項１に記載の遮光構造を具備するＬＥＤ電球。
【請求項４】
前記電球ケース本体１は放熱器６及び前記放熱器６の下端に固定される口金７を備え、前記ＬＥＤ回路基板、前記透光マスク２、前記検知装置３、及び前記遮光筒４は前記放熱器６の頂部にそれぞれ設置されることを特徴とする、請求項３に記載の遮光構造を具備するＬＥＤ電球。
【請求項５】
前記検知装置３は赤外線検知装置、マイクロウェーブ検知装置、光線検知装置の内の何れか１つないしは２つ以上の組合せとして設置されることを特徴とする、請求項１に記載の遮光構造を具備するＬＥＤ電球。
【発明の詳細な説明】
【技術分野】
【０００１】
本発明は、遮光構造を具備するＬＥＤ電球に関する。
【背景技術】
【０００２】
従来の遮光構造を具備するＬＥＤ電球では、ＬＥＤ電球の頂部に検知装置を設置させ、ＬＥＤ電球は検知装置により人体或いは光を検知させ、人体が検知装置の検知範囲内に進入すると、ＬＥＤ電球が点灯する。この技術は例えば特許文献１の検知機能を具備する発光装置及び特許文献２の節電の発光ダイオードが幅広く知られている。
【先行技術文献】
【特許文献】
【０００３】
【特許文献１】中国特許出願公開第２００８１００９７９２６．１号明細書
【特許文献２】中国特許出願公開第０２１０２０７５．２号明細書
【発明の概要】
【発明が解決しようとする課題】
【０００４】
しかしながら、前述した従来の技術では、ＬＥＤ電球の点灯後、ＬＥＤ電球から発射された光は検知装置に照射されるか、透光マスクを経て反射され屈折した後に検知装置に照射され、検知装置に受光されて検知装置の検知に干渉し、検知装置を誤作動させるといった問題があった。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、遮光構造を具備するＬＥＤ電球を提供することを主目的とする。
【課題を解決するための手段】
【０００７】
上述した課題を解決し、目的を達成するために、本発明に係る遮光構造を具備するＬＥＤ電球は、電球ケース本体１、前記電球ケース本体１の頂部に固定される透光マスク２、前記電球ケース本体１の頂部に固定され、複数のＬＥＤダイスが設置されたＬＥＤ回路基板及び検知装置３を備える遮光構造を具備するＬＥＤ電球であって、前記透光マスク２には貫通孔が開設され、前記ＬＥＤ電球は、遮光筒４及び集光レンズ５を更に含み、前記遮光筒４の下端は前記電球ケース本体１に固定され、前記遮光筒４の上端は前記集光レンズ５を係合させて、上に向け前記透光マスク２の前記貫通孔に挿入され、検知装置３は前記遮光筒４に内設され、前記ＬＥＤダイスが設置された前記ＬＥＤ回路基板に比べて前記集光レンズ５に近い位置に配置されることを特徴とする。
【０００８】
前記遮光筒４は円筒形状であることを特徴とする。
【００１２】
前記遮光筒４の上端の辺縁と透光マスク２の貫通孔の上端の辺縁とは水平になるか、或いは遮光筒４の上端の辺縁は上に向け透光マスク２の貫通孔の上端の辺縁を超過させることを特徴とする遮光構造を具備するＬＥＤ電球である。
【００１３】
前記電球ケース本体１は放熱器６及び前記放熱器６の下端に固定される口金７を備え、ＬＥＤ回路基板、透光マスク２、検知装置３、及び遮光筒４は放熱器６の頂部にそれぞれ設置されることを特徴とする遮光構造を具備するＬＥＤ電球である。
【００１４】
前記検知装置は赤外線検知装置、マイクロウェーブ検知装置、光線検知装置の内の何れか１つないしは２つ以上の組合せとして設置されることを特徴とする遮光構造を具備するＬＥＤ電球である。
【発明の効果】
【００１５】
本発明によれば、遮光筒によりＬＥＤ電球から発射された光が検知装置に直接照射されるのを有効的に防止し、ＬＥＤ電球から発射された光が透光マスクを経て反射され、屈折後に検知装置に照射されるのも有効的に防止し、ＬＥＤ電球から発射された光は検知装置に受光されずに検知装置の検知に干渉せず、検知装置は誤作動を起こさず、ＬＥＤ電球の検知の精確性及び感応性の向上が得られる。
【図面の簡単な説明】
【００１６】
【図１】本発明に係る遮光構造を具備するＬＥＤ電球を説明する概略図である。
【図２】図１を示すＡ―Ａの断面図である。
【図３】本発明のＬＥＤ電球を透光マスク後に隠される構造を説明する概略図である。
【発明を実施するための形態】
【００１７】
以下に図面を参照して、本発明を実施するための形態について、詳細に説明する。なお、本発明は、以下に説明する実施形態に限定されるものではない。
【００１８】
本発明の実施形態に係る遮光構造を具備するＬＥＤ電球を図１から図３に示す。電球ケース本体１、透光マスク２、検知装置３、及び遮光筒４を備える。透光マスク２は電球ケース本体１の頂部に固定され、遮光筒４の下端は電球ケース本体１に固定され、遮光筒４の上端は透光マスク２まで延伸されるか、或いは上に向け透光マスク２から突出され、検知装置３は遮光筒４に内設される。
【００１９】
ＬＥＤ電球はＬＥＤ回路基板を更に備え、ＬＥＤ回路基板には若干のＬＥＤダイス（ＬＥＤ  Ｄｉｅｓ）が設置され、ＬＥＤ回路基板は電球ケース本体１の頂部に固定される。
【００２０】
検知装置３は赤外線検知装置、マイクロウェーブ検知装置、及び光線検知装置の何れか一つであり、当然ながら検知装置３は赤外線検知装置、マイクロウェーブ検知装置、及び光線検知装置の内の２つ以上を組み合わせても良い。
【００２１】
本発明の遮光構造を具備するＬＥＤ電球は遮光筒４によりＬＥＤ電球から発射された光が検知装置３に直接照射されるのを有効的に防止させ、ＬＥＤ電球から発射された光が透光マスク２を経て反射され屈折された後に検知装置３に照射されるのも有効的に防止させ、ＬＥＤ電球から発射された光は検知装置３に受光されずに検知装置３の検知に干渉せず、検知装置３の誤作動を回避させ、ＬＥＤ電球検知の精確性及び感応性を高める。
【００２２】
電球ケース本体１は放熱器６及び口金７を備え、口金７は放熱器６の下端に固定され、ＬＥＤ回路基板、透光マスク２、検知装置３、及び遮光筒４は放熱器６の頂部にそれぞれ設置される。
【００２３】
遮光筒４は円筒形状である。遮光筒４の下端は電球ケース本体１に係合される。遮光筒４の結構は単純であり、組み立てにも便利である。
【００２４】
遮光筒４の頂部には集光レンズ５が係合される。集光レンズ５及び透光マスク２の曲面が組み合わされ、集光レンズ５と透光マスク２との間の弧度は円滑であり、外形はスリムになり、美観もよい。透光マスク２には貫通孔が開設され、遮光筒４の上端は上に向け透光マスク２の貫通孔に挿入される。
【００２５】
この好ましい実施形態では、遮光筒４の上端の辺縁と透光マスク２の貫通孔の上端の辺縁とは水平になる。遮光筒４の上端の辺縁は、透光マスク２を経て屈折された光が遮光筒４の上端の辺縁を照射させるのを妨害し、透光マスク２を経て屈折した後の光が検知装置３に照射されるのを防止させる。
【００２６】
また、他の好ましい実施形態では、遮光筒４の上端の辺縁は上に向け透光マスク２の貫通孔の上端の辺縁を超過させる。遮光筒４の上端の辺縁と透光マスク２の貫通孔の上端の辺縁とは水平になる。遮光筒４の上端の辺縁は透光マスク２を経て屈折した光が遮光筒４の上端の辺縁を照射させるのを妨害し、透光マスク２を経て屈折した光が検知装置３に照射されるのを防止させる。
【００２７】
以上、本発明の実施形態について図面を参照して詳述したが、具体的な構成はこの実施形態に限られるものではなく、本発明の要旨を逸脱しない範囲の設計変更等も含まれる。
【図１】
0006029661.tif 000002
【図２】
0006029661.tif 000003
【図３】
0006029661.tif 000004